(57)【要約】【課題】  浴室用フロアの高さが低くなっても、点検口の大きさを十分に確保することができる浴室用フロアの点検口構造を提供すること。【解決手段】  浴槽フロア２０の壁部２１ａの上端部に洗い場フロア３０の壁部３１ａの上端部を接続することによって、浴槽フロア２０の底面が洗い場フロア３０の底面よりも低くなった床面に形成された浴室用フロアＦに点検口構造を設けた。この点検口構造は、壁部２１ａに、下部が上部よりも浴槽フロア２０の中央側に突出した枠状突部２４ａ，２４ｂを形成し、枠状突部２４ａ，２４ｂに点検口２５をそれぞれ設けることにより構成した。また、壁部２１ａの両側部分および中央側部分を、略垂直の壁部または垂直に近い角度の傾斜壁部に形成した。【選択図】  図２
2005146629.tif 000002
【特許請求の範囲】
【請求項１】
周縁部に壁部が形成された浴槽フロアの一方の壁部の上端部と、周縁部に前記浴槽フロアの壁部よりも低い壁部が形成された洗い場フロアの他方の壁部の上端部とを接続することによって、段違いの床面が形成された浴室用フロアに設けられ、前記浴室用フロアの下方部分を点検する際に使用される浴室用フロアの点検口構造であって、
前記浴槽フロアの一方の壁部に、下部が上部よりも前記浴槽フロアの中央側に突出した傾斜部を形成し、前記傾斜部に、前記傾斜部の内部側から外部側に貫通する開口からなる点検口を設けたことを特徴とする浴室用フロアの点検口構造。
【請求項２】
前記点検口を、水平方向に沿って複数個設けた請求項１に記載の浴室用フロアの点検口構造。
【請求項３】
前記傾斜部を、前記浴槽フロアの一方の壁部の水平方向における中央側部分に形成し、前記浴槽フロアの一方の壁部の水平方向における両側部分を、略垂直の壁部または前記傾斜部よりも垂直に近い角度の傾斜壁部に形成した請求項１または２に記載の浴室用フロアの点検口構造。
【請求項４】
前記傾斜部を、水平方向に沿って複数個設けた請求項１ないし３のうちのいずれか一つに記載の浴室用フロアの点検口構造。
【発明の詳細な説明】
【技術分野】
【０００１】
本発明は、浴室ユニット等の床面を構成する浴室用フロアの下方部分を点検する際に使用される浴室用フロアの点検口構造に関する。
【背景技術】
【０００２】
従来から、浴室ユニット等においては、浴槽を設置するための浴槽フロアと、洗い場の床面を構成する洗い場フロアとを接続して構成される浴室用フロアが用いられている。この浴室用フロアは、周縁部に壁部が形成された浴槽フロアの壁部の上端部に、洗い場フロアの縁部を接続することによって、浴槽フロアの底面が洗い場フロアの底面よりも低くなった段違いの床面に形成されている。そして、洗い場フロアの下方には、給水管や排水管等が位置している。このため、給水管等の点検や補修を行う場合に、洗い場フロアの下方に手を入れて作業を行うための点検口が必要になる。従来の浴室用フロアでは、この点検口を浴槽フロアにおける洗い場フロア側の壁部に設けていた（例えば、特許文献１参照）。
【特許文献１】実開昭６４−５７１６４号公報
【発明の開示】
【０００３】
しかしながら、近年では、バリアフリー化にともない浴室ユニットと隣接する洗面室等と洗い場フロアとの段差をできるだけ小さくする傾向にあり、また、２階や３階に浴室ユニットを設置する住宅も増えてきており、そのため浴室用フロア自身の高さを低く設定する必要がある。このため、前述した従来の浴室用フロアをこのような浴室ユニットで用いると、壁部の高さが低くなるため、壁部の高さに応じて点検口の大きさも小さくなる。この結果、点検口から手を入れ難くなり、作業がし難くなるという問題が生じる。
【０００４】
本発明は、前述した問題に対処するためになされたもので、その目的は、浴室用フロアの高さが低くなっても、点検口の大きさを十分に確保することができる浴室用フロアの点検口構造を提供することである。
【０００５】
上記の目的を達成するため、本発明にかかる浴室用フロアの点検口構造の構成上の特徴は、周縁部に壁部が形成された浴槽フロアの一方の壁部の上端部と、周縁部に浴槽フロアの壁部よりも低い壁部が形成された洗い場フロアの他方の壁部の上端部とを接続することによって、段違いの床面が形成された浴室用フロアに設けられ、浴室用フロアの下方部分を点検する際に使用される浴室用フロアの点検口構造であって、浴槽フロアの一方の壁部に、下部が上部よりも浴槽フロアの中央側に突出した傾斜部を形成し、傾斜部に、傾斜部の内部側から外部側に貫通する開口からなる点検口を設けたことにある。
【０００６】
前記のように構成した本発明の浴室用フロアの点検口構造では、浴槽フロアの壁部における点検口が設けられる部分が、下部が上部よりも浴槽フロアの中央側に突出した傾斜部に形成されている。したがって、壁部の上端部と下端部との間の高さが低く設定されていても、壁部における点検口が形成される部分の面積を十分に確保することができる。この結果、点検口から洗い場フロアの下方側に手を入れ易くなり点検や補修の作業が容易になる。この場合、傾斜部としては、ある程度の面積を有する傾斜面部で構成してもよいし、点検口を構成する開口部の縁部を突出させた枠状体で構成してもよい。また、点検口には、着脱可能な蓋を取り付け、点検作業を行わないときには、点検口を閉塞しておくことが好ましい。
【０００７】
また、本発明にかかる浴室用フロアの点検口構造の他の構成上の特徴は、点検口を、水平方向に沿って複数個設けたことにある。この場合、点検口は、浴槽フロアの壁部に設けられた傾斜部における両側部分にそれぞれ設けたり、両側部分と中央部とにそれぞれ設けたりすることができる。これによると、浴槽フロアの壁部における点検作業等の対象となる配管等の位置に近い部分から洗い場フロアの下方に手を入れることができるため、点検作業等がさらに容易になる。
【０００８】
また、本発明にかかる浴室用フロアの点検口構造のさらに他の構成上の特徴は、傾斜部を、浴槽フロアの一方の壁部の水平方向における中央側部分に形成し、浴槽フロアの一方の壁部の水平方向における両側部分を、略垂直の壁部または傾斜部よりも垂直に近い角度の傾斜壁部に形成したことにある。
【０００９】
これによると、浴槽フロアにおける洗い場フロア側の壁部の両側部分には傾斜角度の大きな傾斜部が形成されていないため、この部分の空間を十分に確保してスペースの有効利用が可能になる。また、傾斜部が形成される壁部の中央側部分には、浴槽の下部（角部）が対向するようになり、通常曲面に形成される浴槽の下部の形状に干渉しない範囲であれば、傾斜部の傾斜を調整し、点検口の面積を設定することが可能となる。
【００１０】
本発明にかかる浴室用フロアの点検口構造のさらに他の構成上の特徴は、傾斜部を、水平方向に沿って複数個設けたことにある。この場合、傾斜部を、浴槽フロアの壁部における両端近傍部分や、両端近傍部分と中央部とに所定間隔で設けることができ、この傾斜部にそれぞれ点検口が設けられる。これによると、浴槽フロアにおける洗い場フロア側の壁部には、略垂直の壁部と傾斜部とが交互に形成されるため、浴槽フロアが撓みにくくなって強度が増すようになる。また、壁部における必要な部分だけに傾斜部を形成できるため、浴槽フロア内のデッドスペースを最小限にすることができる。
【発明を実施するための最良の形態】
【００１１】
以下、本発明の一実施形態を図面を用いて説明する。図１は、本発明にかかる浴室用フロアの点検口構造を備えた浴室ユニット１０を示しており、この浴室ユニット１０は、浴槽フロア２０と洗い場フロア３０とで構成される浴室用フロアＦを備えている。浴室用フロアＦは、床面部１１の上面に設置されており、周縁部に壁パネル１２ａ，１２ｂ，１２ｃ等が起立状態で設置されている。そして、壁パネル１２ａ等の上端には、天井パネル（図示せず）が掛け渡されて固定されている。
【００１２】
浴槽フロア２０は、浴槽１３を設置するためのフロアで、周縁部に形成された壁部２１が略垂直方向に高く設定された深い防水パンで構成されている。そして、図２に示したように、浴槽フロア２０の内部側底面の四隅近傍には、浴槽１３を設置するための設置部２２がそれぞれ設けられ、浴槽フロア２０の底部における洗い場フロア３０側部分の略中央には排水口２３が形成されている。そして、壁部２１のうちの洗い場フロア３０側の壁部２１ａには、浴槽フロア２０の中央側に向って突出した本発明の傾斜部としての枠状突部２４ａ，２４ｂが間隔を保って形成されている。
【００１３】
枠状突部２４ａ（，２４ｂ）の前部は、図３に示したように、下部側が浴槽フロア２０の中央側に向って突出した傾斜部に形成されており、その中央部に四角形の開口からなる点検口２５がそれぞれ形成されている。点検口２５の縁部における表面側（浴槽フロア２０の内部側）には開口に沿って切欠き部２６が形成され、切欠き部２６の底面の四隅近傍に枠状突部２４ａ（，２４ｂ）の裏面に貫通するねじ穴２６ａがそれぞれ設けられている。
【００１４】
そして、切欠き部２６に四角板状の点検口用蓋２７がそれぞれ着脱可能に取り付けられている。点検口用蓋２７の四隅近傍にはそれぞれねじ穴２７ａが設けられており、ねじ穴２７ａとねじ穴２６ａとにそれぞれねじ２８を螺合させることにより、点検口用蓋２７は切欠き部２６に取り付けられている。壁部２１ａに設けられた枠状突部２４ａ，２４ｂ、点検口２５、切欠き部２６、ねじ穴２６ａ，２７ａ、点検口用蓋２７およびねじ２８で本発明に係る浴室用フロアの点検口構造が構成されている。また、浴槽フロア２０の外部側底面の各角部近傍には、浴槽フロア２０および浴槽１３を支持するとともに、浴槽フロア２０の高さ調整を行うための支脚２９がそれぞれ設けられている。
【００１５】
洗い場フロア３０は、周縁部に形成された壁部３１が、壁部２１よりも低く設定された浅い防水パンで構成され、浴槽フロア２０側の壁部３１ａの上端部が、浴槽フロア２０の壁部２１ａの上端部に接続されている。そして、洗い場フロア３０の底面における壁パネル１２ｂ側部分に、カウンター（図示せず）を設置するための台部３２が形成され、台部３２に給水管等の配管を通すための穴部３３が形成されている。また、洗い場フロア３０の底面における浴槽フロア２０側部分の略中央には排水口（図示せず）が設けられ、その排水口の上方に排水口用蓋３４が設置されている。
【００１６】
そして、洗い場フロア３０の外部側底面の各角部近傍には、洗い場フロア３０を支持するとともに、洗い場フロア３０の高さ調整を行うための支脚３５が設けられている。また、浴槽フロア２０の排水口２３と、洗い場フロア３０の排水口とは、浴室用フロアＦの下方に設置された排水管に接続されており、排水管を介して、浴槽フロア２０および洗い場フロア３０に溜まる水は、外部に排水される。また、この浴室ユニット１０には、洗い場フロア３０の下方に図示しない給水管や排水管等が位置している。
【００１７】
この構成において、洗い場フロア３０の下方に位置する各配管等の点検作業等を行う場合には、まず、点検口用蓋２７を枠状突部２４ａ，２４ｂに固定しているねじ２８を取り外す。そして、点検口用蓋２７を枠状突部２４ａ，２４ｂの切欠き部２６から外して点検口２５を開口させる。この場合、点検等を行う各配管等の位置に応じて、２個の切欠き部２６のどちらか一方に取り付けられている点検口用蓋２７、または双方の切欠き部２６に取り付けられている点検口用蓋２７を取り外す。そして、点検口２５から手を入れて所定の配管等の点検作業や補修作業を行う。
【００１８】
この浴室用フロアの点検口構造では、枠状突部２４ａ，２４ｂの前部は、上部側よりも下部側が浴槽フロア２０の中央側に向って突出した傾斜部に形成され、点検口２５はその傾斜に沿った大きな開口に形成されている。したがって、作業者は点検口２５から洗い場フロア３０の下方に手を入れ易くなり、各配管等の点検作業等を容易に行える。点検作業等が終了すると、点検口２５の切欠き部２６に点検口用蓋２７を取り付けて元の状態にする。
【００１９】
このように、本実施形態による浴室用フロアの点検口構造では、浴槽フロア２０の壁部２１ａの高さが従来の浴槽フロアの壁部の高さよりも低く設定されていても点検口２５の大きさを十分に確保することができ、点検作業等が容易に行えるようになる。また、２個の枠状突部２４ａ，２４ｂを間隔を保たせて壁部２１ａに設け、この枠状突部２４ａ，２４ｂにそれぞれ点検口２５を設けているため、点検や補修する配管等に近い部分から洗い場フロア３０の下方に手を入れることができ、点検作業等がさらに容易になる。
【００２０】
また、壁部２１ａにおける両側部分と中央部分とは、垂直に近い角度の壁部に形成されているため、この部分の空間を、例えば、ジェットバス用のポンプの設置空間等として十分に確保することができ、スペースの有効利用が可能になる。また、壁部２１ａには、この垂直に近い角度の壁部と枠状突部２４ａ，２４ｂとが交互に形成されるため、壁部２１ａに撓みが生じ難くなり浴槽フロア２０の強度が増すようになる。また、浴槽フロア２０をこのような形状にすることは、成形上からも好ましく、これによって精度のよい浴槽フロア２０が得られる。
【００２１】
また、前述した実施形態の各部分の構成については、適宜、変更実施が可能である。例えば、枠状突部や点検口の数は２個に限らず、１個や３個または４個以上の複数個にすることもできる。また、枠状突部２４ａ，２４ｂの傾斜角度（垂直方向に対する角度）は、壁部２１の傾斜角度よりも大きく、浴槽１３の設置に支障が生じない角度（枠状突部２４ａ，２４ｂが浴槽１３の下部に接触しない角度）に設定する。
【００２２】
さらに、前述した実施形態では、点検口用蓋２７をねじ２８によって枠状突部２４ａ，２４ｂに固定しているが、この固定は、ねじ２８に限らず、両面接着テープやシリコーン等の弾性接着剤を用いて固定してもよいし、点検口用蓋２７を点検口２５に嵌め込むようにして行うこともできる。また。点検口用蓋２７は設けず、点検口２５を常時開口させておくことも可能である。
【図面の簡単な説明】
【００２３】
【図１】本発明の一実施形態による浴室用フロアの点検口構造を備えた浴室ユニットを示す縦断面図である。
【図２】図１に示した浴室ユニットが備える浴室用フロアを示す斜視図である。
【図３】浴室用フロアの点検口構造を分解した状態を示す縦断面図である。
【符号の説明】
【００２４】
１０…浴室ユニット、２０…浴槽フロア、２１，２１ａ，３１，３１ａ…壁部、２３…排水口、２４ａ，２４ｂ…枠状突部、２５…点検口、３０…洗い場フロア、Ｆ…浴室用フロア。
【図１】
2005146629.tif 000003
【図２】
2005146629.tif 000004
【図３】
2005146629.tif 000005